(57)【要約】【課題】  第三者による暗証番号の推定を困難にし得る金融取引システムを提供する。【解決手段】  顧客が自行の自動取引装置（ＡＴＭ）１０から暗証番号を入力し、入力した暗証番号とホスト装置２０で保持する顧客暗証番号とが一致すると取引処理を実行する金融取引システムにおいて、ホスト装置２０は、顧客が設定した任意の桁数の顧客暗証番号を保持する顧客ＤＢ２４を備え、自行のＡＴＭ１０は、桁数の相違する暗証番号が入力可能な入力部１４と、入力部１４から入力した暗証番号と顧客ＤＢ２４で保持する顧客暗証番号とを照合し、その一致、不一致を判定する暗証番号判定部２５Ａとを備える。【選択図】    図１
2007087078.tif 000002
【特許請求の範囲】
【請求項１】
顧客が自動取引装置から暗証番号を入力し、前記入力した暗証番号と顧客暗証番号とが一致すると取引処理を実行する金融取引システムにおいて、
顧客が設定した任意の桁数の顧客暗証番号が登録されている顧客情報記憶手段と、
前記自動取引装置に設けられて任意の桁数の暗証番号が入力可能な入力手段と、
前記入力手段から入力した暗証番号と、前記顧客情報記憶手段の顧客暗証番号とを照合し、その一致、不一致を判定する暗証番号判定手段とを備えることを特徴とする金融取引システム。
【請求項２】
前記入力手段は最大設定桁数の暗証番号が入力可能で、
入力された最大設定桁数の暗証番号の表示が可能な暗証番号フィールドと、入力の終了を検知するための終了キーとがすくなくとも設定されている表示画面を表示する表示部を更に備えることを特徴とする請求項１記載の金融取引システム。
【請求項３】
前記入力手段はアルファベット文字が前記暗証番号の一部として入力可能で、
前記表示画面に、前記アルファベット文字が入力可能に表示されていることを特徴とする請求項２記載の金融取引システム。
【請求項４】
顧客が設定した任意の桁数の顧客暗証番号が登録されている顧客情報記憶手段を有するホスト装置に接続されている自動取引装置であって、
任意の桁数の暗証番号が入力可能な入力手段と、
前記入力手段から入力した暗証番号と、前記ホスト装置から受信した前記顧客情報記憶手段の前記顧客暗証番号とを照合してその一致、不一致を判定する暗証番号判定手段と、
を含むことを特徴とする自動取引装置。
【請求項５】
前記入力手段は最大設定桁数の暗証番号が入力可能で、
入力された最大設定桁数の暗証番号の表示が可能な暗証番号フィールドと、入力の終了を検知するための終了キーとが少なくとも設定されている表示画面を表示する表示部を更に備えることを特徴とする請求項４記載の自動取引装置。
【請求項６】
前記入力手段はアルファベット文字が前記暗証番号の一部として入力可能で、
前記表示画面に、前記アルファベット文字が入力可能に表示されていることを特徴とする請求項５記載の自動取引装置。
【発明の詳細な説明】
【技術分野】
【０００１】
本発明は、顧客から取得した暗証番号と、予め登録した顧客の暗証番号とを照合して顧客認証を行う金融取引システム及び自動取引装置に関する。
【背景技術】
【０００２】
顧客から取得した暗証番号と、予め登録した顧客の暗証番号とを照合して顧客認証を行う金融取引システムでは、４桁に固定的に設定されている暗証番号方式が導入されている。一方、金融取引システムの顧客は、暗証番号として自身の生年月日、電話番号、住所の番地などの個人情報に関する数字の組合せを設定することが多い。そのため、顧客が個人情報に基づいて暗証番号を設定している場合に、顧客のキャッシュカードおよびクレジットカードが、免許証および保険証など顧客の個人情報が記載された公的証書と共に紛失、盗難に遭うと、第三者が顧客の個人情報から暗証番号を簡単に推定し、特定してしまう。このため、カードの紛失および盗難に気付く前に第三者が推定した暗証番号を用いて自動取引装置（ＡＴＭ）を操作した場合、不正出金処理が実行されてしまう。
【０００３】
一方、各金融機関では、該不正行為の対策として、顧客自身の個人情報に関する数字の組合せなど、第三者に推定されやすい暗証番号の設定を避けるよう、また、現在そのような暗証番号を設定している場合には、顧客の個人情報から推定し得ない暗証番号に変更するようＡＴＭの表示画面などを用いて顧客に促している。
【発明の開示】
【発明が解決しようとする課題】
【０００４】
しかしながら、依然として顧客の多くは、覚えやすく、かつ忘れにくい生年月日、電話番号、住所の番地など、自身の個人情報に関する数字を組合せて暗証番号を設定している。そのため、不正出金処理の被害は増え続け、それと同時に該被害額は膨大となり、該不正行為を防止する対策が要望されている。
【０００５】
以上の問題点に鑑み、本発明の目的は、顧客から取得した暗証番号と、予め登録した顧客の暗証番号とを照合して顧客認証を行う金融取引システムにおいて、第三者による暗証番号の推定を困難にし得る金融取引システム及び自動取引装置を提供することにある。
【課題を解決するための手段】
【０００６】
本発明は、以上の点を解決するために、次の構成を採用する。
本発明の金融取引システムは、顧客が自動取引装置から暗証番号を入力し、入力した暗証番号と顧客暗証番号とが一致すると取引処理を実行する金融取引システムにおいて、顧客が設定した任意の桁数の暗証番号が登録されている顧客情報記憶手段と、自動取引装置に設けられて顧客が任意の桁数の暗証番号が入力可能な入力手段と、入力手段から入力した暗証番号と、顧客情報記憶手段の顧客暗証番号とを照合し、その一致、不一致を判定する暗証番号判定手段とを備えることを特徴とする。
【０００７】
他の発明は、顧客が設定した任意の桁数の顧客暗証番号が登録されている顧客情報記憶手段を有するホスト装置に接続されている自動取引装置であって、任意の桁数の暗証番号が入力可能な入力手段と、入力手段から入力した暗証番号と、ホスト装置から受信した顧客情報記憶手段の顧客暗証番号とを照合してその一致、不一致を判定する暗証番号判定手段とを含むことを特徴とする。
【０００８】
上記構成において、入力手段は最大設定桁数の暗証番号が入力可能で、入力された最大設定桁数の暗証番号の表示が可能な暗証番号フィールドと、入力の終了を検知するための終了キーとがすくなくとも設定されている表示画面を表示する表示部を更に備えることを特徴とする。
【発明の効果】
【０００９】
本発明によれば、顧客が設定した特定桁数の暗証番号を予め登録し、顧客により取引端末から特定桁数の暗証番号を入力させて照合処理を行わせるようにしたので、第三者が個人情報を知り得ても更に暗証番号の桁数を選択して暗証番号を入力する必要が生じるので、第三者による暗証番号の推定を困難にすることができる。
【発明を実施するための最良の形態】
【００１０】
以下、本発明の実施形態について図１を用いて詳細に説明する。
【実施例１】
【００１１】
＜実施例１の構成＞
本発明の実施例１の金融取引システムは、図１に示すように、金融取引のための自行の自動取引装置（ＡＴＭ）１０と、該自行のＡＴＭ１０とネットワーク３０を介して接続されているホスト装置２０とを備える。
【００１２】
尚、図１には１台の自行のＡＴＭ１０のみが示されているが、ネットワーク３０には自行のＡＴＭ１０と同様の機能を有する多数の自行のＡＴＭ１０が接続されている。
【００１３】
自行のＡＴＭ１０は、ネットワーク３０を介して接続するホスト装置２０と通信するための通信部１１と、自行のＡＴＭ１０を制御する制御部１２と、カード読取部１３と、入力部１４と、一時記憶部１５と、表示部１６と、入出金部１７とを備える。
【００１４】
カード読取部１３は、キャッシュカードの磁気データから口座情報を読み取る。図２にキャッシュカードの口座情報の構成の一例を示し、この口座情報は金融機関コード、支店コード、口座番号、カード停止フラグなどから成る。ここで、キャッシュカードで保持する口座情報のカード停止フラグは、キャッシュカードが使用可能なときは０であり、使用が不可のときは１である。カード読取部１３は、口座情報のカード停止フラグが１であることを確認すると、カード使用不可を制御部１２に通知する。
【００１５】
表示部１６は、制御部１２の表示制御機能により、図３に示すように、暗証番号の入力画面を表示する。
即ち、この画面には、制御部１２の表示制御により、図３に示すように、３桁〜５桁の暗証番号が入力できるように最大５桁の暗証番号が入力可能な暗証番号入力フィールドと、入力数値を示すテンキーと、任意の桁の暗証番号が入力可能になるのでその終了を検知するための「終了」キーとが表示されている。
【００１６】
入力部１４は、表示部１６上に設けられるタッチパネル（センサ）から成り、桁数の異なる暗証番号と、出金要求額とを入力させる。従って、顧客は、自己の選定した桁数の暗証番号を入力部１４から入力し、入力が終了すると上記「終了」キーを押下することになる。例えば、顧客が顧客暗証番号に３桁の暗証番号を登録しているときは、顧客は入力部１４から３桁の暗証番号を入力し、５桁の暗証番号を登録しているときは、入力部１４から５桁の暗証番号を入力し、入力が終了すると上記キーを押下する。ここで、入力部１４から入力可能な暗証番号の桁数の範囲は、ホスト装置２０の顧客ＤＢ２４で保持する顧客暗証番号に設定可能な桁数の範囲と同じであり、自行の金融機関が設定している。
【００１７】
一時記憶部１５は、カード読取部１３からの口座情報と、入力部１４からの暗証番号と出金要求額とを一時的に記憶する。
【００１８】
入出金部１７は、ホスト装置２０から後述する出金許可信号を取得すると、一時記憶部１５で保持する出金要求額と同額の紙幣および貨幣を出金し、出金終了信号を通信部１１を介してホスト装置２０へ送信する。
【００１９】
制御部１２は、上記したように、入力部１４から暗証番号を入力する際に、金融機関が設定した最大桁数、５桁の範囲内で暗証番号の入力フィールドを表示部１６に表示させる。また、制御部１２は、暗証番号の桁数が顧客毎に異なるので、暗証番号の入力が終了したことを検知させるため、上記したように「終了」キーを表示部１６に表示させる。
【００２０】
そして、制御部１２は、ボタンの押下で暗証番号の入力を検知すると、一時記憶部１５で保持する口座情報（銀行コード、支店コード、口座番号など）と、暗証番号及び出金要求額とを通信部１１を介してホスト装置２０へ送信する。
更に、制御部１２は、後述するカード使用停止信号をホスト装置２０から取得すると、カード読取部１３で保持するキャッシュカードの口座情報のカード停止フラグを０から１に変更し、カード停止信号を通信部１１を介してホスト装置２０へ送信する。
【００２１】
ホスト装置２０は、ネットワーク３０を介して接続する自行のＡＴＭ１０と通信するための通信部２１と、ホスト装置を制御する制御部２２と、一時記憶部２３と、顧客データベース（ＤＢ）２４と、暗証番号判定部２５Ａと、顧客管理部２６とを備える。
【００２２】
一時記憶部２３は、自行のＡＴＭ１０から取得した口座情報（銀行コード、支店コード、口座番号など）と、暗証番号と、出金要求額とを一時的に記憶する。
【００２３】
顧客ＤＢ２４は、顧客毎に設定した顧客情報を保持する。図４に顧客ＤＢ２４で保持する顧客情報の一例を示し、顧客情報は、顧客の口座番号情報、顧客の設定した３桁や５桁の暗証番号、残高情報、出入金情報および個人情報（氏名、生年月日、住所、職業、家族構成等）などで構成されている。
【００２４】
暗証番号判定部２５Ａは、自行のＡＴＭ１０から取得した暗証番号と、顧客ＤＢ２４で保持する顧客情報の顧客暗証番号とを照合し、照合結果により暗証番号の一致、不一致を判定する。即ち、暗証番号判定部２５Ａは、まず取得した暗証番号の桁数と顧客暗証番号の桁数とを比較し、桁数が一致するか否かを判定し、桁数が一致しないと、不一致を示す信号を顧客管理部２６へ送信する。また、暗証番号判定部２５Ａは、暗証番号と顧客暗証番号の桁数が一致すると、各桁の値を照合し、全ての桁の値が一致すると、一致を示す信号を顧客管理部２６へ送信する。また、暗証番号判定部２５Ａは、暗証番号の桁数と顧客暗証番号の桁数は一致するが、桁の値が一致しないと、不一致信号を顧客管理部２６へ送信する。
【００２５】
顧客管理部２６は、顧客ＤＢ２４で保持する顧客情報を全体的に管理するが、特に、暗証番号判定部２５Ａから一致信号を受けると、出金許可信号を自行のＡＴＭ１０へ送信する。一方、顧客管理部２６は、暗証番号判定部２５Ａから不一致信号を受けると、該信号数をカウントするカウント機能を備える。そして、顧客管理部２６は、不一致信号の受信したカウント値が「１」及び「２」のときは、暗証番号の再入力要求通知を通信部２１を介して自行のＡＴＭ１０へ送信する。また、顧客管理部２６は、受信したカウント値が「３」のときは、不正使用としてカード使用停止信号を通信部２１を介して自行のＡＴＭ１０へ送信する。
【００２６】
顧客管理部２６は、自行のＡＴＭ１０から出金終了信号を取得すると、出金要求額に基づいて顧客ＤＢ２４で保持する顧客情報の顧客残高情報および顧客出入金情報を更新する。
また、顧客管理部２６は、自行のＡＴＭ１０から上記したカード停止信号を取得すると、顧客ＤＢ２４で保持する顧客情報にその旨を記載し、該顧客情報を更新する。
【００２７】
＜実施例１の動作＞
次に本発明の実施例１の金融取引システムの動作を図５のフローチャートを用いて説明する。ここでは、自行のＡＴＭ１０を操作する顧客が、３〜５桁の暗証番号が設定可能な金融取引システムを利用して、キャッシュカードを用いて１００万円の出金処理を実行する。そして、顧客（山田一男）が設定した顧客暗証番号は顧客の生年月日である昭和５３年８月１９日から３つの数字を組合せた３桁「１９８」である。
【００２８】
顧客が自行のＡＴＭ１０にキャッシュカードを挿入すると、カード読取部１３は、キャッシュカードの磁気データから口座情報のカード停止フラグを読み取る。カード読取部１３は、カード停止フラグが０であることを確認すると、口座情報（銀行コード、支店コード、口座番号など）を読み取る（ステップＳ１１）。また、カード読取部１３は、キャッシュカードのカード停止フラグが１であることを確認すると、カード使用不可を制御部１２に通知し、制御部１２は、表示部１６にキャッシュカードの使用が不可である旨を表示させ、処理を終了する。
【００２９】
次に、顧客は入力部１４から暗証番号を入力する（ステップＳ１２）と、通信部１１を介して口座情報と入力暗証番号をホスト装置２０へ送信する。
ホスト装置２０の暗証番号判定部２５Ａは、口座情報に基づいて取得した暗証番号と顧客ＤＢ２４で保持する顧客暗証番号「１９８」とを照合して一致、不一致の判定を行い（ステップＳ１３）、暗証番号と顧客暗証番号「１９８」が不一致であると判定すると、不一致信号を顧客管理部２６へ送信する。また、暗証番号判定部２５Ａは、取得した暗証番号と顧客ＤＢ２４で保持する顧客暗証番号「１９８」とを照合して一致と判定すると、一致信号を顧客管理部２６へ送信する。顧客管理部２６は、一致信号を受信すると、本人確認信号を自行のＡＴＭ１０へ送信する。
ＡＴＭ１０の制御部１２は、本人確認信号を受けると、表示部１６に金額入力画面を表示させる。
【００３０】
顧客が入力部１４から出金要求額（１００万円）を入力すると（ステップＳ１４）、制御部１２は、取得した口座情報と出金要求額（１００万円）とを一時記憶部１５に記憶する。次に、制御部１２は、一時記憶部１５で保持する出金要求額（１００万円）に基づいた確認画面を表示部１６に表示させ、顧客に対し出金要求額（１００万円）の確認を行わせ、顧客が確認ボタンを押下すると、一時記憶部１５で保持する口座情報と出金要求額（１００万円）とを、通信部１１からホスト装置２０へ送信する。
【００３１】
ホスト装置２０の顧客管理部２６は、出金要求額が預金残高より小さいと、出金許可信号をＡＴＭ１０へ送信する。
自行のＡＴＭ１０の制御部１２は、出金許可信号を取得すると、入出金部１７を動作させるので、入出金部１７は、出金要求額（１００万円）分の紙幣を出金し、出金終了信号をホスト装置２０へ送信する（ステップＳ１５）。出金終了信号を受けると、ホスト装置２０の顧客管理部２６は、出金金額１００万円に基づいて顧客ＤＢ２４で保持する顧客情報の残高および出金情報を更新し、処理を終了する。
【００３２】
一方、顧客管理部２６は、暗証番号判定部２５Ａから不一致信号を受信すると、カウント値を「１」に設定し（ステップＳ１６）、再入力要求通知を通信部２１から自行のＡＴＭ１０へ送信する。自行のＡＴＭ１０の制御部１２は、再入力要求通知を取得すると、表示部１６に暗証番号の再入力を促す画面を表示させる。これにより、顧客は、入力部１４から暗証番号を再入力する（ステップＳ１７）。
【００３３】
顧客管理部２６は、カウント値が「３」になると、カード使用停止信号を通信部２１から自行のＡＴＭ１０へ送信する。自行のＡＴＭ１０の制御部１２は、カード使用停止信号を取得すると、カード読取部１３で保持するキャッシュカードの口座情報のカード停止フラグを０から１に変更し、表示部１６にキャッシュカードの使用不可画面を表示させ、カード停止信号を通信部１１からホスト装置２０へ送信する。ホスト装置２０の顧客管理部２６は、カード停止信号を受信すると顧客ＤＢ２４で保持する顧客情報にカード停止の旨を記載し、処理を終了する（ステップＳ１８）。
【００３４】
本実施例では、顧客が任意の桁数に設定した暗証番号として数字のみから構成された暗証番号を例に示したが、これに限らず、図６に示すように、数字にアルファベットを組合せて構成された暗証番号を使用することも可能である。即ち、自行のＡＴＭ１０の入力部１４はアルファベットの入力を受け付ける手段を備える。そして、制御部１２は、テンキーにアルファベットの表示フィールドを組合せて構成された３桁〜５桁の範囲の暗証番号が入力可能な暗証番号入力画面を表示部１６に表示させる。
【００３５】
＜実施例１の効果＞
現行の固定４桁の暗証番号を使用する金融取引システムでは、不正出金を試みる第三者が暗証番号を推定して３回目に特定する確率は３／１０，０００である。これに対し、実施例１の３〜５桁の暗証番号が使用可能な金融取引システムでは、該確率は３／１１１，０００となるので、第三者による暗証番号の推定を困難にすることができる。
上記実施例では、ホスト装置２０側に暗証番号判定部２５Ａを設けているが、ＡＴＭ１０側に暗証番号判定部２５Ａを設けるようにしてもよい。この場合、ホスト装置２０の顧客管理部２６が顧客ＤＢ２４から取り込んだ顧客暗証番号をＡＴＭ１０に送信するようにする。
【実施例２】
【００３６】
＜実施例２の構成＞
本発明の実施例２の金融取引システムは、図７に示すように、金融取引のための他行の自動取引装置（ＡＴＭ）４０と、該他行のＡＴＭ４０とネットワーク３０を介して接続されている自行のホスト装置２０とを備える。
【００３７】
他行のＡＴＭ４０は、ネットワーク３０を介して接続するホスト装置２０と通信するための通信部４１と、制御部４２と、カード読取部４３と、入力部４４と、一時記憶部４５と、表示部４６と、入出金部４７とを備える。
【００３８】
入力部４４は、他行の金融機関が設定した固定４桁の暗証番号の入力が可能であり、制御部４２は４桁の暗証番号が入力された場合だけ入力が終了したと判定する。
一方、顧客は顧客情報として顧客ＤＢ２４に３桁の暗証番号「１９８」を登録している。従って、顧客が自行と同様に他行のＡＴＭ４０において３桁の暗証番号を入力するだけでは制御部４２は暗証番号の入力ミスと判定し、出金処理が不可能となってしまう。
そこで、本実施例では、他行のＡＴＭ４０の図８に示す入力画面において、顧客により顧客暗証番号「１９８」に０〜９のいずれかの数値、例えば「０」を付加し、代替暗証番号「１９８０」を入力させる。これにより、制御部４２は暗証番号を取り込み、該暗証番号を自行のホスト装置へ送信する。
【００３９】
ホスト装置２０は、通信部２１と、制御部２２と、一時記憶部２３と、顧客データベース（ＤＢ）２４と、暗証番号判定部２５Ｂと、顧客管理部２６とを備える。
【００４０】
暗証番号判定部２５Ｂは、他行のＡＴＭ４０から４桁の暗証番号を取得すると、顧客ＤＢ２４の顧客暗証番号を取り込み、その桁数を判定する。本実施例では顧客暗証番号が「１９８」の３桁なので、暗証番号判定部２５Ｂは、取得した４桁の暗証番号「１９８０」を代替暗証番号と判定し、上位３桁の数値「１９８」を判別し、顧客暗証番号「１９８」と照合し、一致、不一致を判定する。
尚、その他の構成及び動作は実施例１と同一なので、その説明を省略する。
【００４１】
本実施例２の金融取引システムでは、顧客が代替暗証番号を用いて他行のＡＴＭ４０から出金処理を行う際に出金金額の制限を行わなかったが、セキュリティを考慮して顧客管理部２６に取引限度額判定手段を設定し、他行のＡＴＭを介した場合、例えば１０万円等の取引限度額以内での出金処理を行うようにしてもよい。
【００４２】
＜実施例２の効果＞
実施例２の金融取引システムによれば、顧客が現行の固定４桁の暗証番号方式を採用する他行のＡＴＭ４０から顧客暗証番号の代わりに４桁の代替暗証番号を入力することにより、出金処理を行うことが可能な構成を有するので、他行のＡＴＭを利用して取引処理を行うことができる。
【図面の簡単な説明】
【００４３】
【図１】本実施例１の金融取引システムを示すブロック図である。
【図２】カード内口座情報の一例を示す図である。
【図３】本実施例１の暗証番号入力画面の一例を示す図（その１）である。
【図４】顧客データベースの顧客情報の一例を示す図である。
【図５】本実施例１の動作を示すフローチャートである。
【図６】本実施例１の暗証番号入力画面の一例を示す図（その２）である。
【図７】本実施例２の金融取引システムを示すブロック図である。
【図８】本実施例２の他行のＡＴＭの暗証番号入力画面の一例を示す図である。
【符号の説明】
【００４４】
１０            自行の自動取引装置（ＡＴＭ）
２０            ホスト装置
３０            ネットワーク
４０            他行の自動取引装置（ＡＴＭ）
１１、４１      通信部
１２、４２      制御部
１３、４３      カード読取部
１４、４４      入力部
１５、４５      一時記憶部
１６、４６      表示部
１７、４７      入出金部
２１            通信部
２２            制御部
２３            一時記憶部
２４            顧客データベース（ＤＢ）
２５Ａ、２５Ｂ  暗証番号判定部
２６            顧客管理部
【図１】
2007087078.tif 000003
【図２】
2007087078.tif 000004
【図３】
2007087078.tif 000005
【図４】
2007087078.tif 000006
【図５】
2007087078.tif 000007
【図６】
2007087078.tif 000008
【図７】
2007087078.tif 000009
【図８】
2007087078.tif 000010